(57)【要約】      （修正有）【課題】許可なければ視聴できない保護されたデジタルコンテンツを外部ソースから受け取って再生する。【解決手段】デジタルコンテンツの再生を許可する再生許可情報（ＤＲＭ情報）によって保護されているデジタルコンテンツを外部のソースから受信し、デジタルコンテンツを再生するために、ＵＲＬ情報に基づいて外部のソースにＤＲＭ情報を要求し、ＤＲＭ情報に基づいてデジタルコンテンツを再生する。【選択図】図６ａ
2006238435.tif 000002
【特許請求の範囲】
【請求項１】
（ａ）デジタルコンテンツの再生を許可する再生許可情報（ＤＲＭ情報）によって保護されているデジタルコンテンツを、外部ソースから受信するステップと、
（ｂ）前記デジタルコンテンツを定常的に再生するために、ＵＲＬ情報に基づいて前記外部ソースに前記ＤＲＭ情報を要求するステップと、
（ｃ）前記ＤＲＭ情報に基づいて前記デジタルコンテンツを再生するステップと
を有することを特徴とするコンテンツの再生方法。
【請求項２】
前記ステップ（ｂ）は前記ＤＲＭ情報を提供するウェブサイトに前記ＤＲＭ情報を要求することを特徴とする請求項１記載の再生方法。
【請求項３】
前記ステップ（ｂ）は前記デジタルコンテンツに関連する識別情報とともにウェブサイトにＤＲＭ情報を要求することを特徴とする請求項２記載の再生方法。
【請求項４】
前記ステップ（ｂ）は要求したＤＲＭ情報を前記外部ソースからダウンロードするステップを含むことを特徴とする請求項１記載の再生方法。
【請求項５】
前記ダウンロードするステップは、前記識別情報に関連させられている要求されたＤＲＭ情報をダウンロードすることを特徴とする請求項４記載の再生方法。
【請求項６】
前記ダウンロードするステップでは、前記ＤＲＭ情報に対する支払いが済んでから要求したＤＭＲ情報がダウンロードされることを特徴とする請求項４記載の再生方法。
【請求項７】
前記ステップ（ｂ）が前記デジタルコンテンツを管理する管理情報を生成するステップを含み、前記ステップ（ｃ）が前記管理情報に基づいて前記デジタルコンテンツの再生を制御することを特徴とする請求項１記載の再生方法。
【請求項８】
前記管理情報が前記デジタルコンテンツの開始情報、終了情報、サイズ情報の少なくとも１つを含むことを特徴とする請求項７記載の再生方法。
【請求項９】
前記デジタルコンテンツが複数のデジタルオーディオまたはデジタルビデオを含み、前記ステップ（ｂ）が前記複数のデジタルオーディオまたはデジタルビデオの少なくとも１つを定常的に再生するために、前記外部ソースに前記ＤＲＭを要求することを特徴とする請求項１記載の再生方法。
【請求項１０】
前記デジタルコンテンツが複数のデジタルオーディオまたはデジタルビデオを含み、前記ステップ（ｂ）が前記複数のデジタルオーディオまたはデジタルビデオを定常的に再生するために、前記外部ソースに前記ＤＲＭを要求することを特徴とする請求項１記載の再生方法。
【請求項１１】
前記ステップ（ｂ）が
（ｂ１）前記ＤＲＭ情報を得るために外部ソースの位置を指示するステップと、
（ｂ２）その指示された位置に基づいて、前記ＤＲＭ情報を得るために前記外部ソースとインターフェースするステップと
を有することを特徴とする請求項１記載の再生方法。
【請求項１２】
前記ステップ（ａ）が、さらに、前記デジタルコンテンツを定常的に再生するためのプログラムを、前記外部ソースから前記ＤＲＭ情報に基づいて受信することを特徴とする請求項１記載の再生方法。
【請求項１３】
（ａ）デジタルコンテンツの再生を許可するＤＲＭ情報で保護されたデジタルコンテンツを外部ソースから事前に受け取っていて、そのデジタルコンテンツを定常的に再生するために、ＵＲＬ情報に基づいて前記外部ソースに前記ＤＲＭ情報を要求するステップと、
（ｂ）前記ＤＲＭ情報に基づいて前記デジタルコンテンツを再生するステップと
を有することを特徴とするコンテンツの再生方法。
【請求項１４】
前記ステップ（ａ）が、前記外部ソースとのインターフェースを介して、前記要求したＤＲＭ情報を受信するステップを有することを特徴とする請求項１３記載の再生方法。
【請求項１５】
前記ステップ（ａ）が、要求した前記ＤＲＭ情報を料金で購入するステップを含むことを特徴とする請求項１３記載の再生方法。
【請求項１６】
前記ステップ（ａ）が、前記デジタルコンテンツを定常的に再生するための前記ＤＲＭ情報がない場合に、前記外部ソースにそのＤＲＭ情報を要求することを特徴とする請求項１３記載の再生方法。
【請求項１７】
前記ＤＲＭ情報に基づいて前記デジタルコンテンツを定常的に再生ためのプログラムを前記外部ソースから受信するステップをさらに有することを特徴とする請求項１３記載の再生方法。
【請求項１８】
（ａ）少なくとも１つのデジタルコンテンツを定常的に再生するための情報である、再生を許可する再生許可情報（ＤＲＭ情報）を要求する信号を、要求している者から受信するステップと、
（ｂ）その要求している者または前記デジタルコンテンツに関連したＩＤ情報に基づいて要求している者を識別するステップと、
（ｃ）前記ＩＤ情報に基づいて要求している者に前記ＤＲＭ情報を送るか否かを決定するステップと
を有することを特徴とする情報を伝送する方法。
【請求項１９】
前記ステップ（ｃ）が、再生権者に対するアクションに基づいて前記要求している者に前記ＤＲＭ情報を送るべきか否かを決定するステップをさらに含むことを特徴とする請求項１８記載の伝送する方法。
【請求項２０】
前記アクションが前記ＤＲＭ情報に対する支払いを含むことを特徴とする請求項１９記載の伝送する方法。
【請求項２１】
前記ＤＲＭ情報が前記デジタルコンテンツの再生を許可するものであることを特徴とする請求項１８記載の伝送する方法。
【請求項２２】
前記デジタルコンテンツは複数のディジタルオーディオとデジタルビデオを含み、前記ＤＲＭ情報がそれらの複数のオーディオとビデオを定常的に再生するために要求される請求項１８記載の伝送する方法。
【請求項２３】
前記デジタルコンテンツは複数のディジタルオーディオとディジタルビデオを含み、前記ＤＲＭ情報がそれらの複数のオーディオとビデオの少なくとも１つをを定常的に再生するために要求される請求項１８記載の伝送する方法。
【請求項２４】
ディジタルソースデータを受信し、かつデジタルコンテンツの再生を許可する再生許可情報（ＤＲＭ情報）を外部ソースから受信する受信部と、
前記受信部にそれを制御するために接続され、ＵＲＬ情報に基づいて前記外部ソースに少なくとも前記ＤＲＭ情報を要求するコントローラと、
前記コントローラの制御に基づいてディジタルソースデータを再生する再生部であって、前記コントローラが前記ＤＲＭ情報に基づいて前記再生部を制御する、前記再生部と
を有することを特徴とするコンテンツを再生する装置。
【請求項２５】
前記コントローラが前記ＤＲＭ情報を提供するウェブサイトに前記ＤＲＭ情報を要求する請求項２４記載の装置。
【請求項２６】
前記コントローラが、前記ＤＲＭ情報を要求する信号とともに、デバイスデータまたはデジタルソースデータに関する識別情報を前記外部ソースに送ることを特徴とする請求項２５記載の装置。
【請求項２７】
前記外部ソースから受信した前記ＤＲＭ情報を格納するメモリをさらに有することを特徴とする請求項２４記載の装置
【請求項２８】
識別情報に関連させられている要求されたＤＲＭ情報を格納するように、前記コントローラが前記メモリを制御することを特徴とする請求項２７記載の装置。
【請求項２９】
前記ＤＲＭ情報に対する支払いが済んだ後で、要求された前記ＤＲＭ情報を格納するように、前記コントローラがメモリを制御することを特徴とする請求項２７記載の装置。
【請求項３０】
前記受信部が、前記外部ソースからの前記デジタルデータを前記ＤＲＭ情報に基づいて定常的に再生するためのプログラムを受信することを特徴とする請求項２４記載の装置。
【請求項３１】
前記ディジタルソースデータが複数のデジタルオーディオまたはデジタルビデオを含み、前記複数のデジタルオーディオまたはデジタルビデオの少なくとも１つを定常的に再生するために、前記コントローラが、前記外部ソースへＤＲＭ情報を要求することを特徴とする請求項２４記載の装置。
【請求項３２】
前記ディジタルソースデータが複数のデジタルオーディオまたはデジタルビデオを含み、前記複数のオーディオまたはビデオを定常的に再生するために、前記コントローラが、前記外部ソースへＤＲＭ情報を要求することを特徴とする請求項２４記載の装置。
【請求項３３】
前記ＤＲＭ情報を得るための外部ソースの位置を指示する表示装置をさらに含み、前記コントローラが、前記ＤＲＭ情報を得るために、前記指示された位置に基づいて外部ソースとのインターフェースを制御することを特徴とする請求項２４記載の装置。
【発明の詳細な説明】
【技術分野】
【０００１】
本発明は、デジタルコンテンツの再生を許可する再生許可情報（ＤＲＭ情報）によって保護されているデジタルコンテンツを外部のソースから受け取って再生する方法と装置に関する。
【背景技術】
【０００２】
最近では高画質の動映像データまたは高音質のオーディオデータを長時間記録することができる大容量高密度光ディスクであるＤＶＤ（Digital Versatile Disc）が開発されて市場に発表されている。広く普及することが予想されるＤＶＤの種類には、再生専用のＤＶＤ−ＲＯＭ、１回記録可能なＤＶＤ−Ｒ、そして再記録可能なＤＶＤ−ＲＡＭまたはＤＶＤ−Ｒ／Ｗなどがある。
【０００３】
再記録可能な大容量記録媒体であるＤＶＤ−Ｒ／ＷとＤＶＤ−ＲＡＭは、現在記録フォーマットに対する規格化作業が進行中である。
【０００４】
一方、インターネット等のようなオンライン通信網を通して多様なデジタルオーディオデータが提供されている。このようなデジタルオーディオデータをＥＭＤ（ＥＭＤ：ELECTRONIC MUSIC DISTRIBUTION）オーディオデータという。ＥＭＤオーディオデータの無断複製防止や著作権保護のために、コンテンツプロバイダ、すなわちＥＭＤオーディオ提供業者は各々異なる固有のフォーマットでオーディオデータをエンコーディングし、かつ固有の複製防止コードなどをオーディオデータに付加している。
【０００５】
したがって、ＥＭＤオーディオデータを聴取するためには、ＥＭＤオーディオ提供業者から提供される固有のデコーダ、すなわち固有のフォーマットでエンコーディングされたＥＭＤオーディオデータを元来のオーディオデータに復元することができる固有のデコーディングアルゴリズムが備わったデコーダと、複写防止コードを解読できる固有の解読コードが必ず必要である。このように正当なデコーダと解読コードがなければオーディオデータの再生ができないので、デジタルオーディオデータの無断複製と著作権侵害可能性を防止できる。
【０００６】
そして、前述したように大容量記録媒体が商業化されており、またＥＭＤオーディオデータの無断複製防止が前述した方法によって可能になることによって、ＥＭＤオーディオデータはインターネットのようなオンライン通信網を通して急速に拡散普及する可能性がある。
【０００７】
しかし、前記のようにインターネットなどを通して伝送提供されるＥＭＤオーディオデータは、複写防止コードが全体のデータに適用されているために、光ディスク装置を備えたユーザーは、解読コードなしでは記録可能ＤＶＤにダウンロードしたＥＭＤオーディオデータを全く聴取できない。そうすると、せっかくダウンロードして記録可能ＤＶＤに記録したＥＭＤオーディオデータが所望する曲であるのか、または所望する音質の曲であるのかを確認することができない。したがって、ダウンロードしたＥＭＤオーディオデータを解読再生できる解読コードの有料購入をためらうようになる。これはインターネットのようなオンライン通信網を通したデジタルデータの普及拡散を大きく制限させる。
【特許文献１】特開平１０−１３５９４４
【発明の開示】
【発明が解決しようとする課題】
【０００８】
本発明は前記のような問題点を解決するために創作されたものであり、動映像データ及び／またはオーディオデータでデモ用データ区間を指定して記録媒体に適切な記録フォーマットで記録すると同時に、そのオーディオデータの再生許可情報を受信したか否かによって、記録媒体に記録されたソースデータの全体を再生できるか、またはソースデータの内容を試演するためにデモ用として指定された一部記録区間のみを再生できるようにするためのデモ用データの記録及び再生方法と、それによる記録媒体を提供することが目的である。
【課題を解決するための手段】
【０００９】
前記のような目的を達成するための本発明によるデモ用データが記録された記録媒体は、データの記録領域と、データ再生に必要な管理情報が記録された管理情報記録領域を含めて構成されるが、データ記録領域には、少なくとも一つ以上の論理トラックに該当するソースデータを記録し、一方、管理情報記録領域には、ソースデータの内容を試演するためのデモ用データとして指定された、ソースデータの一部記録区間に対する位置情報を記録することを特徴とする。
【００１０】
また、本発明によるデモ用データの記録方法は、伝送されるデータを受信して、再記録可能な記録媒体のデータ記録領域に記録する１段階と；その記録データの全体の再生を許す再生許可情報を受信しているか否かを確認する２段階；及び再生許可情報を受信しない場合、記録データの内容を試演するための一部記録区間の位置情報を、再記録媒体の管理情報記録領域に記録する３段階を含むことを特徴とする。
【００１１】
また、本発明によるデモ用データの再生方法は、記録データの再生要請時、記録されたデータ全体の再生を許す再生許可情報が、記録媒体の管理情報記録領域または装置内に存在するか否かを確認する１段階と；その確認結果、再生許可情報が存在しない場合、記録データの内容を試演するためにデモ用データとして指定された、記録データの一部区間に対する位置情報を読み出す２段階；及びその読み出された位置情報を利用して、再生要請された記録データの一部区間のみを選別再生する３段階を含むことを特徴とする。
【００１２】
前記のような特徴を有する本発明によるデモ用データの記録及び再生方法と、それによる記録媒体は、光ディスク装置を備えたユーザーは、再生許可情報を有料で購入しなくても、ＤＶＤ−ＲＡＭまたはＤＶＤ−ＲＯＭのような記録媒体に記録されたソースデータが自身が所望する内容のデータであるか否かを予め確認することができる。したがって、これによって再生許可情報の有料購入を自然に誘導できるようになる。
【発明を実施するための最良の形態】
【００１３】
以下、本発明によるデータの記録及び再生方法と、それによる記録媒体に対する望ましい実施形態に対して、添付された図面を参照しながら詳細に説明する。
【００１４】
図１は本発明実施形態によるデモ用データの記録及び再生方法が適用される光ディスク装置に対する一部構成を示したものである。この光ディスク装置は、例えば、インターネットと連結接続されるパーソナルコンピュータＰＣに装着されるディスクドライブである。図１の光ディスク装置は、パーソナルコンピュータのような外部連結機器とのデータ送受信のためのインタフェース部８と、インタフェース部８を通してインターネットから伝送提供されるソースデータとそのソースデータの再生制御のための管理情報とを適切に記録できる信号に変換する記録信号処理部３と、変換された記録信号をＤＶＤ−ＲＡＭ  １のような記録媒体に記録したりまたはその記録媒体から記録された信号を読み出す光ピックアップ２と、光ピックアップ２によって読み出される信号を処理して元来のデータに復元する再生信号処理部４と、記録または再生のためにデータを一時的に格納するバッファ部６と、ＤＶＤ−ＲＡＭ  １に記録されたデータの再生管理情報であるナビゲーションデータとＤＶＤ−ＲＡＭ  １に記録されたソースデータの再生を許容／制限する再生許可情報ＤＲＭが格納されるフラッシュメモリのようなメモリ部７と、そして、データの記録と再生のために各構成手段を作動制御して、また、再生許可情報の内容によって再生データを選択する制御部５を備えている。
【００１５】
再生許可情報は、ソースデータを提供するインターネット上での特定ウェブサイトから有料で提供されるが、またＤＶＤ−ＲＡＭ  １の管理情報記録領域にダウンロードされたり、メモリ部７にダウンロードされてもよい。ソースデータは、動映像データまたはオーディオデータで、インターネットを通して受信され、ＤＶＤ−ＲＡＭ  １のような再記録可能記録媒体にダウンロードされるか、またはＤＶＤ−ＲＯＭ等のような再生専用の光ディスク記録媒体にディスク製作過程を通して記録される。
【００１６】
ソースデータがオーディオデータである場合には、一つのオーディオ曲が一つのオーディオ記録集合体（ＡＯＢ：Ａｕｄｉｏ  ＯＢｊｅｃｔ）となり、再生許可情報がない場合に、データ記録時にまたはディスク製作時にオーディオ記録集合体の一部区間は、オーディオ曲の内容を試演するためのデモ用データとして指定されている。
【００１７】
制御部５は、インタフェース部８を通して、インターネット上での特定ウェブサイトから伝送受信されたオーディオデータをＤＶＤ−ＲＡＭ  １にダウンロードする場合、そのオーディオデータを「論理的トラック」単位で区画して、その区画された一つのトラックをオーディオ記録集合体ＡＯＢ単位として管理する。論理的トラックは、光ディスク記録媒体に螺旋形で形成された物理的トラックとは区分されるものであって、外部から提供されるオーディオ曲が一回の記録によって記録されると一つの論理的トラックになる。
【００１８】
そして、前記のような記録動作によってＤＶＤ−ＲＡＭ  １に記録されたオーディオ曲の全体、すなわちすべての論理的トラックはプログラムチェーンという一つのトラックセットで区画管理され、そのトラックセット内で新しい論理的トラックが追加記録されたり、または論理的トラックの一部を削除することができる。
【００１９】
また、論理的トラックの一部分のみをユーザーの編集動作によって部分トラック（ＰｏＴ：Part of Track）として指定して、その部分のみを再生させることができる。このような再生動作は、論理的トラックの再生順序を指定するための再生リスト（ＰＬ：Play List）の選択によってなされる。前記のような論理的トラックの記録後または編集後には論理的トラックの全部または一部を参照するための情報として、セル情報が生成される。このセル情報は、一つ以上参照させるオリジナルまたはユーザー定義プログラムチェーン情報（ＰＧＣＩ：Program Chain Information）に属する。そして再生リストは、ユーザーの選択によって望ましいプログラムチェーン情報を、プログラムチェーン番号によって参照することができる。
【００２０】
プログラムチェーン情報ＰＧＣＩは、図２に示したように複数のセル情報を含むことができる。そして、オーディオ曲が記録信号処理部３を通して記録可能記録媒体１に記録されてしまえば、システム制御部５はそのトラックに対する情報として一つのセル情報を生成する。このようなセル情報は、オーディオセル一般情報（Ａ＿Ｃ＿ＧＩ：Audio Cell General Information）と少なくとも一つ以上のオーディオセルエントリポイント情報（Ａ＿Ｃ＿ＥＰＩ：Audio Cell Entry Point Information）を含めて記録される。オーディオセル一般情報は、図２に示したように、対応するオーディオ記録集合体ＡＯＢの記録開始位置情報（Ａ＿Ｃ＿Ｓ＿Ｐ：Audio Start Position of this Cell）と記録終了位置情報（Ａ＿Ｃ＿Ｅ＿Ｐ：Audio End Position of this Cell）を含む。
【００２１】
そして、オーディオセルエントリポイント情報は、そのタイプによって他の情報が記録されるが、オーディオトラックに対するデモ用区間を指定するための情報としてこのセルエントリポイント情報を利用する。タイプに対する情報はエントリポイントタイプＥＰ＿ＴＹフィールドに記録される。
【００２２】
本発明によるデモ用オーディオデータ区間の位置に関する情報がセルエントリポイント情報としてタイプフィールドＥＰ＿ＴＹに例えば「０００１ＸＸＸＸ」（Ｘは任意の値）として書き込まれる。タイプフィールドにビット値「０００１ＸＸＸＸ」を持つセルエントリポイント情報は、図３に示されるように、ＥＰ＿ＤＡ＿Ｓ＿ＰとＥＰ＿ＤＡ＿Ｅ＿Ｐのそれぞれのフィールドにデモ用オーディオの開始位置情報と終了位置情報とを持つ。
【００２３】
もし、エントリポイントタイプＥＰ＿ＴＹフィールドの値が、「０１１０ＸＸＸＸ」（Ｘは任意の値）ならば、セルエントリポイント情報が任意アクセス（Random Access）を示す単一の位置情報フィールドを持つことを意味している。
【００２４】
オーディオセルエントリ情報には、図４及び図５に示したように、デモ用オーディオデータの記録終了位置情報ＥＰ＿ＤＡ＿Ｅ＿Ｐの代りに、デモ用オーディオデータの記録区間の長さＤＡ＿ＤＵＲを記録することができる。
【００２５】
制御部５は、前記のように構成された管理情報を利用して、ＤＶＤ−ＲＡＭ  １にダウンロードされたソースデータの全体を再生したり、またはデモ用データとして指定された一部区間のみを選択して再生する。この選別再生は再生要請されたソースデータに対する再生許可情報ＤＲＭの存在有無によって決定される。このような再生過程を以下詳細に説明する。
【００２６】
図６Ａ及び図６Ｂは、本発明によるデモ用データが記録された記録媒体の再生方法に対する作動流れ図を示したものである。
【００２７】
制御部５は、再生要請があれば、またはその前に、前述した管理情報、すなわちプログラムチェーン情報ＰＧＣＩとセル情報などを記録媒体１から読み出して、フラッシュメモリのようなメモリ部７に格納する（Ｓ１１）。
【００２８】
そして、制御部５は、必要であるならば、ＤＶＤ−ＲＡＭ  １に記録されたソースデータを読出して再生するための再生プログラムを実行させる（Ｓ１２）が、その前に再生要請されたソースデータの再生を許す再生許可情報ＤＲＭが、ＤＶＤ−ＲＡＭ  １の管理情報記録領域またはメモリ部７に存在するかを検出確認する（Ｓ１３）。選択されたソースデータは一つまたはそれ以上のオーディオ曲に該当する。
【００２９】
確認した結果、再生許可情報が存在しない場合、制御部５は、再生許可情報が存在せず、オーディオ曲に該当するソースデータの正常再生が不可能であるという案内メッセージと再生許可情報の購入を案内するメッセージを、パーソナルコンピュータに出力する（Ｓ１４）。
【００３０】
図７は、前記のような場合に出力される画面の例である。図７の画面は再生許可情報をダウンロードを通して購買するかどうかを尋ねる窓を含んでいる。また、再生許可情報を提供する特定ウェブサイトとのインターネット連結接続を容易にできるようにするためのＵＲＬ情報と、ソースデータに対応する再生許可情報のダウンロードによる購買を選択することができるボタンを含む。
【００３１】
ユーザーが再生許可情報の購買を要請しないと（Ｓ１５）、制御部５は、メモリ部７に格納されたプログラムチェーン情報、例えばオリジナルプログラムチェーン情報ＯＲＧ＿ＰＧＣで選択されたソースデータと連結されたチェーン情報を読み出して、そのプログラムチェーン情報に含めて管理される各セル情報Ｃｅｌｌ１、２、３．．または一つのセル情報を検索する（Ｓ１６）。各セル情報、または一つのセル情報内のオーディオエントリポイント情報に含めて記録されたデモ用オーディオの記録開始位置情報ＥＰ＿ＤＡ＿Ｓ＿Ｐと記録終了位置情報ＥＰ＿ＤＡ＿Ｅ＿Ｐ、または記録区間情報ＤＡ＿Ｄｕｒを読み出して確認する（Ｓ１７）。
【００３２】
そして、読み出して確認された記録開始位置情報と記録終了位置情報、または記録区間情報に対応するデモ用データの記録位置をサーチして、その記録区間に記録されたデモ用データのみを読み出す、デモ用データの再生動作を遂行する（Ｓ１８）。複数のトラックが選択されたソースデータに属する場合には各トラックのデモ用データ区間を順次に再生する。
【００３３】
したがって、ユーザーは再生許可情報の有料購入しなくても、記録媒体に記録されたオーディオ曲の内容の一部を再生聴取または視聴できる。それに基づいて、全体のデータの再生許可情報の有料購入を決定できる。
【００３４】
一方、確認の結果、再生許可情報ＤＲＭがＤＶＤ−ＲＡＭ  １の管理情報記録領域上に、またはメモリ部７に存在する場合（Ｓ１３）には、そのプログラムチェーン情報内の各セル情報または一つのセル情報を検索した後（Ｓ２０）、各セル情報または一つのセル情報内のオーディオセル一般情報Ａ＿Ｃ＿ＧＩに含めて記録されたオーディオ記録開始位置情報Ａ＿Ｃ＿Ｓ＿Ｐと記録終了位置情報Ａ＿Ｃ＿Ｅ＿Ｐ、すなわちセル情報に対応するオーディオ記録集合体の記録位置を確認し（Ｓ２１）、その確認された記録区間をサーチして、ソースデータの全体を再生する動作を実行することができる（Ｓ２２）。
【００３５】
もしも、再生エラー案内メッセージが出力された状態で、ユーザーが再生許可情報の購買を要請すれば（Ｓ１５）、制御部５は再生許可情報を提供する特定ウェブサイトに対するＵＲＬ（ＵＲＬ：Ｕｎｉｆｏｒｍ  Ｒｅｓｏｕｒｃｅ  Ｌｏｃａｔｏｒ）情報と、ソースデータに与えられた固有の識別情報、例えば２バイトの固有一連番号または再生専用ディスクに与えられた固有識別番号を、ＤＶＤ−ＲＡＭ  １の管理情報記録領域またはメモリ部７から読み出した後、パーソナルコンピュータに伝送する（Ｓ３０）。
【００３６】
ユーザーの購買要請は、モニターに図７のように表示された画面で「ダウンロード」ボタンを、マウスなどを利用したクリックによってなされる。
【００３７】
ウェブサイトは、受信されたディスク固有番号またはソースデータの固有番号に対して予め指定されている再生許可情報を該当する再生許可情報で特定して、それを要請したパーソナルコンピュータにダウンロードする。これは再びディスクドライバ部に伝送される（Ｓ３１）。この過程はパーソナルコンピュータ、そしてウェブサイト間の事前規約によってなされる。
【００３８】
受信された再生許可情報は、制御部５によって各オーディオ記録集合体別に区分されて、フラッシュメモリのようなメモリ部７に格納したり、またはＤＶＤ−ＲＡＭ  １の管理情報記録領域に記録される（Ｓ３２）。
【００３９】
以後、制御部５は、前述したように、メモリ部７またはＤＶＤ−ＲＡＭ  １に記録された再生許可情報を利用して、ＤＶＤ−ＲＡＭ  １に記録されたソースデータ全体をサーチ再生する、前述した一連の動作を実施できることになる。
【００４０】
一方、装着されたディスクがＤＶＤ−ＲＯＭのような再生専用光ディスクである場合、前記のような過程を通してダウンロードされる再生許可情報は、ディスクドライバ、またはＤＶＤプレーヤー（ＤＶＤ−Ｐｌａｙｅｒ）を含めて構成されたメモリ部に記録される。
【００４１】
また、再生許可情報によってソースデータの全体を再生したり、またはソースデータの一部のみをデモ用データとして選択再生する再生アルゴリズムが装置内に備わっていない場合には、ソースデータ及び再生許可情報などを提供する特定ウェブサイトからダウンロードされて装置内に格納したり、またはＤＶＤ−ＲＯＭに予め収録しておくことができる。
【００４２】
以上、前述した本発明の望ましい実施形態は、例示の目的のために開示されたものであって、ＤＶＤ−ＲＡＭまたはＤＶＤ−ＲＯＭ以外にも、ＣＤまたはビデオＣＤ（Ｖｉｄｅｏ  ＣＤ）等のような多様なタイプの光ディスク記録媒体に適用可能なことはもちろん、オーディオデータ以外にも動映像または停止映像のようなビデオデータに適用可能であり、それ以外にも当業者ならば添付された特許請求範囲に開示された本発明の技術的思想とその技術的範囲内で、多様な他の実施形態を改良、変更、代替または付加などが可能であることである。
【図面の簡単な説明】
【００４３】
【図１】本発明によるデモ用データの記録／再生方法が適用される光ディスク装置に対する構成を示した図である。
【図２】本発明によるデモ用データの記録方法によって生成記録されるデータサーチ管理情報の例を示した図である。
【図３】本発明によるデモ用データが含まれるオーディオ記録集合体ＡＯＢとこれに対する管理情報の関係を示した図である。
【図４】本発明の他の実施形態によるデモ用データの記録方法によって生成記録されるデータサーチ管理情報の例を示した図である。
【図５】本発明の他の実施形態によるデモ用データが含まれるオーディオ記録集合体ＡＯＢと、これに対する管理情報の関係を示した図である。
【図６ａ】本発明によるデモ用データの再生方法に対する作動流れ図を示した図である。
【図６ｂ】本発明によるデモ用データの再生方法に対する作動流れ図を示した図である。
【図７】本発明によるデモ用データの再生方法によって表示される案内メッセージ画面を示したものである。
【符号の説明】
【００４４】
１：ＤＶＤ−ＲＡＭ、２：光ピックアップ、３：記録信号処理部、４：再生信号処理部、５：システム・コントローラ、６：バッファ部、７：メモリ部
【図１】
2006238435.tif 000003
【図２】
2006238435.tif 000004
【図３】
2006238435.tif 000005
【図４】
2006238435.tif 000006
【図５】
2006238435.tif 000007
【図６ａ】
2006238435.tif 000008
【図６ｂ】
2006238435.tif 000009
【図７】
2006238435.tif 000010